(57)【要約】バナナ農園から小売り地点への一体型のバナナ輸送システム。本システムは、１２のバスケットおよびワゴンからなる。バナナの果房（果叢）は、各バスケット上に配置される。バスケットは、収穫、洗浄、処理、保管、輸送、および最終処理のすべての段階で使用できる。商品の美的劣化の原因となる、バナナへの接触が最小限に抑えられる。バナナの果房は、バスケット上に配置される。果軸の上部には、ハンガ（２）の釘（１）が刺しこまれ、一方、下部は、バスケットのベース（３）のエンボス領域に配置される。ビームが、ワゴンのベースの角部に配置され、ビームには、ラックが所望の高さで取り付けられている。６つのバスケットが、ワゴンのベースの底部に配置され、６つが、ラック上に配置される。バスケットおよびワゴンの組み立ておよび分解は、道具を必要とすることなく手で行うことができる。分解されたシステムは、最小空間を占有し、これにより農園への返送の費用を少なくする。【選択図】図１
2016536216.tif 000002
【特許請求の範囲】
【請求項１】
バナナの果房が配置され得る、１２の自立したバスケットと、
前記バスケットがその上に配置される車輪付きワゴンとからなる一体型のバナナ輸送システムであって、
バナナの木から最終小売り地点までのいずれの中間段階においても、処理、梱包、または他の必要性に起因して、バナナの果房のための輸送手段を変更する必要がない
ことを特徴とする一体型のバナナ輸送システム。
【請求項２】
前記バスケットが、逆「Ｕ字形」のハンガ（２）を有し、前記ハンガ（２）の水平部の中央に、前記バナナの果房の果軸に刺し込まれる釘（１）が取り付けられていることを特徴とする、
前記請求項に記載の一体型のバナナ輸送システム。
【請求項３】
前記バスケットの前記ベース（３）が、エンボス領域（４）を少なくとも１つ有し、前記果房の果軸の下部が、前記エンボス領域上に配置されて、前記果房が、前記ベース（３）上で滑動または回転し得ないようになっていることを特徴とする、
前記請求項に記載の一体型のバナナ輸送システム。
【請求項４】
前記システムのすべての部品の組み立ておよび分解を、道具を使用することなく手で行うことができることを特徴とする、
前記請求項に記載の一体型のバナナ輸送システム。
【請求項５】
前記ワゴンおよび前記バスケットの部品のすべてを、運搬する前記バナナの果房がないときに必要な体積を最小にするために分解することができることを特徴とする、
前記請求項に記載の一体型のバナナ輸送システム。
【請求項６】
前記バスケットを、小売り地点で「そのまま」使用することができることを特徴とする、
前記請求項に記載の一体型のバナナ輸送システム。
【請求項７】
前記ワゴンの縦横寸法比が、２対３であり、これにより、保管または輸送の手段の空間がいかなる形状であっても完全な利用が達成され得ることを特徴とする、
前記請求項に記載の一体型のバナナ輸送システム。
【発明の詳細な説明】
【技術分野】
【０００１】
［発明の分野］
本発明は、果房（果叢）が木から切り取られる収穫地点から、最終消費者が自分の買物袋にバナナを入れる小売り地点までの一体型のバナナ輸送システムに関する。本システムは、特別に形成された金属製パレット（スタンドを移動させるための車輪付きワゴン）上に配置される個々の金属製スタンド（バスケット）からなる。バナナの果房は、各スタンド上に配置できる。
【背景技術】
【０００２】
［発明の背景技術］
バナナの収穫地点から小売り地点まで、果房およびバナナは、それらの輸送、処理、および保管のために異なる手段に委ねられている。収穫後、通常はフック（大規模農園の場合）またはワゴン（小規模農園の場合）が、洗浄および選別場所への輸送のために使用される。その後、バナナの果房は、梱包場所から小売り地点まで輸送するために、内側にプラスチックシートを有する段ボール箱内に配置される。箱は、パレット上に積み重ねられる。最後に、小売り地点で、バナナは、箱から取り出され、陳列台上に配置される。
【０００３】
多くの輸送手段の使用においては、バナナの果実への手の接触を伴う、果房の取り扱いが要求される。バナナは、他の物体による打撃、圧力、および摩擦に極めて弱いため、この接触は、バナナの果実にストレスを加える。この接触の結果、いかなる手段によっても劣化されなかった果実に比べて低い商業的価値を有する果実になってしまう。また、果実の梱包材は、再利用できておらず、このため、商品における一定の経済的負担および環境への影響をもたらす。
【発明の概要】
【０００４】
［発明の開示］
本システムは、バスケットおよび該バスケットのためのワゴンキャリアからなる。バナナの果房は、収穫後にバスケット上に配置される。果房は、小売り地点に到着するまでバスケット上に配され続けることができ、小売り地点では、最終消費者は、自分が購入したい量のバナナを果房から切り取ることができる（請求項１）。果房は、バナナに関するすべての段階（収穫、処理、洗浄、保管、および輸送）の間にわたってバスケット上に配され続けることができる。取り扱いの他の手段を使用する必要がないため、バナナの果実への手の接触が最小限に抑えられる。バスケットは、小売り地点でそのまま使用できる（請求項６）。
【０００５】
バスケットは、２つの部分からなる。１つの部分は、バスケットのベースであり、もう１つは、果房の固定部分である。ベースは、四角形であり、１つの対角線上の角部に取り付けられる２つのチューブを有する。別の角部には、ワゴンの垂直ビームに対しガイドとして機能する構造部がある。ベースは、強エンボスを伴う領域を少なくとも一つ有する。果軸は、この領域上に配置される。エンボスは、果房がベース上で回転または滑動しないようにする（請求項３）。果房の全質量は、バスケットのベースのエンボス領域に加えられる。
【０００６】
バナナの果房は、ハンガ（バスケットの上部）からバスケット上に安定して留まる。ハンガは、水平部の中央に、果軸の上部に刺しこまれる釘を有する（請求項２）。したがって、果房がバスケット上で揺動することは不可能であり、果房は静止したままとなる。ハンガの端部の適切な寸法は、ベースのチューブへのハンガの設置を可能にする。ハンガの最終的な高さは、予め決められるものではなく、もっぱらバナナの果房の長さに依存する。
【０００７】
ワゴンは、平行四辺形の形状を有する。ワゴンのベースには、本システムの移動を容易にするための車輪が設置されている。６つのバスケットが、ワゴンのベース上に配置できる。ワゴンのベースの角部には、バスケットの角部の前記構造部がワゴンのベースのビームの構造物に嵌まるように、バスケットが配置されなければならない。６つのバスケットの配置後に、ビームが配置されてもよい。ビームには、ラックの取り付けを可能にする構造部がある。この構造部は、ビームの長さに沿って存在しており、また、果軸の長さが予め決められ得ないものであることから、ワゴンのベース上に配置されるバナナの果房の長さに応じて、調整可能な高さにラックを配置することを可能にする。
【０００８】
ラック上に、さらに６つのバスケットを配置することが可能である。各ワゴンは、１２のバスケットを運ぶことができる。本システムは、空間所要量を最小にするために分解されて元の所に（バナナの果房を有さずに）返送できる（請求項５）。本システムの組み立ておよび分解は、道具を必要とすることなく手で行うことができる（請求項４）。ワゴンは、平行四辺形の形状を有する。このことは、保管空間の幾何学的形状にかかわらず、保管空間の最大限の利用を可能にする。バスケットおよびワゴンの寸法は、保冷車の空間を十分に利用することができる（請求項７）。
【発明の効果】
【０００９】
［発明の利点］
このシステムは、収穫地点から小売り地点まで、「果段群」としてではなくバナナの果房全体を「そのまま」運ぶことが可能である。さらに、バナナの輸送手段を変更する必要がない。このため、バナナの果実への接触が最小に制限される。また、これらのバスケットを用いることにより、バナナの果実同士または果房同士の接触が不可能となる。小売り地点では、バナナの果房は、バスケット上に載せたままとすることができる。バナナの果実は、果軸に付いたままであり、「果段」として陳列台に載せられていないため、バナナへの最終消費者の意図的しない接触が防止され、この結果、商品の美的価値が保存される。
【００１０】
バスケットおよびワゴンは、販売サイクルの完了後、集められて、収穫地点に返送され得る。したがって、使い捨ての梱包材（例えば、段ボール箱）の必要性が排除される。バスケットは、金属製のものと同じ寸法および特性を有するならば、木材またはプラスチックなどの任意の材料によって製造することができる。
【００１１】
システム全体は、モジュール式であり、各構造部品は、分解されたときに極めて小さな空間しか占有しない。したがって、分解されたシステムの体積が、組み立てられたものの１２分の１であるため、バナナの農園に返送されるシステムの輸送費用は極めて小さくなる。
【００１２】
部品の組み立ておよび分解は、道具（例えば、スパナまたはねじ回し）を必要とすることなく手で行われる。また、バスケットの高さは、バナナの果房の長さに応じて自動的に調整される。ワゴンに関しても、ラックのビームへの取り付け高さの選択を実現可能にする適切な構造をビーム及びラックが有するために、ワゴンの高さも調整可能である。
バスケットは、そのベース上に、バナナの果房が配置され、果房の全質量を支持するエンボス領域を有する。質量が、バスケットのベースによって支持されるとき、バナナの果房は、果軸の上部にバスケットのハンガの釘が刺し込まれることによって固定される。このようにして、バナナの果房のそれぞれは、もっぱら果軸によって支持され、固定される。
【００１３】
ワゴンのベースの寸法比率は、一般的な食品保冷車における長さ方向または幅方向での配置を可能にする。この特徴により、空間の利用が最大化される。ワゴンは、車輪を有するため、輸送および任意の保管場所における移動は、モータ付きの手段を用いることなく達成され得る。
【００１４】
また、バスケットは、小売り地点では最終消費者に対するショーケースとなり得る。したがって、バナナは、販売サイクルの最後まで損なわれないままであり得る。また、バナナは、果軸に付いたままであり、「果段」の状態で陳列台上に置かれることがないため、最終消費者が意図せずにバナナの果実に繰り返し接触することが防止される。
【図面の簡単な説明】
【００１５】
【図１】図１は、１２のバスケットを配置したワゴンを示している。
【図２】図２は、ハンガ（２）からなるバスケットを示しており、ハンガ（２）は、水平部の中央に釘（１）を有する。また、図２は、エンボス領域（４）を有するベース（３）を示しており、エンボス領域（４）で、果軸は、ベース（３）に接触する。また、図２は、特別に形成された角部（５）を示しており、角部（５）で、バスケットは、ワゴンのベースの角部においてビーム（８）に接触する。また、図２は、バスケットのベースの垂直ガイド（６）を示しており、垂直ガイド（６）は、ハンガ（２）を支持している。
【図３】図３は、ベース（７）からなる輸送ワゴンを示しており、ベース（７）は、車輪（１０）を有し、ビーム（８）のための差し込み部（１１）を角部に有する。ビーム（８）に沿って、ラック（９）の取り付けおよびその高さの調整を可能にする構造部（１２）がある。
【発明を実施するための形態】
【００１６】
［発明の機能説明］
バスケットおよびワゴンは、最初はバナナ農園にある。バナナの果房が植物から切り取られ、果軸の上部に、バスケットのハンガの釘が刺し込まれる。バナナの果房は、果軸の底部をベースのエンボス領域上に配置することによってバスケットのベース上に配置され、これによって、前記果房は、固定して配置され得る。ハンガが留まる高さは、果軸の長さに依存する。バナナの果房を有するバスケットは、バスケットの特別に形成された角部をワゴンの角部に接触させた状態で、ワゴン上に配置される。
【００１７】
ワゴンのベース上に６つのバスケットを配置した後、４つのビームが、ワゴンの角部に取り付けられる。ラックが、望ましい高さでビームに取り付けられ、固定される。さらに６つのバスケットを、ラック上に配置することができる。
【００１８】
ワゴンは、バナナの果実の洗浄、選別の地点に、保管地点（または熟成室）に、さらには、バナナの輸送のためのトラックまたはコンテナで小売り地点に果房を移動させるために使用することができる。バスケットは、最終消費者への販売のためにショーケースとしてテーブルまたは台上に配置することができる。
【００１９】
バスケットおよびワゴンは、分解され、大幅に少ない空間を占有する状態でバナナ農園に返送され得る。バナナ農園において、バスケットおよびワゴンは、再び使用するために再度組み立てることができる。
【図１】
2016536216.tif 000003
【図２】
2016536216.tif 000004
【図３】
2016536216.tif 000005
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
バナナの果房が配置され得る、１２の自立したスタンド（バスケット）と、
前記バスケットがその上に配置される車輪付きワゴンとからなる一体型のバナナ果房輸送システムであって、
前記バスケットが、上部のハンガ（１，２）および下部のベース（３，４，５，６）の２つの部分からなり、
前記ハンガ（２）の端部間の距離が、前記ベースの支柱（６）の距離に等しく、
前記ハンガ（２）の前記端部の断面が、ハンガ（２）を支柱（６）に取り付け、固定するために、前記ベースの前記支柱（６）の断面とわずかに異なっており、これにより、前記ハンガ（２）の前記端部が、前記ベースの前記支柱（６）の長さに沿って滑動し、この結果、前記バスケットの高さが変化し、このため、前記バスケットが、任意のバナナの果房の高さに合わせて調整できるようにされており、
前記バスケットが、逆「Ｕ字形」のハンガ（２）を有し、前記ハンガ（２）の水平部の中央に、前記バナナの果房の果軸に刺し込まれる釘（１）が取り付けられており、
前記バスケットの前記ベース（３）が、エンボス領域（４）を少なくとも１つ有し、前記果房の前記果軸の下部が、前記エンボス領域上に配置されて、前記果房が、前記ベース（３）上で滑動または回転し得ないようになっており、
前記システム（前記バスケットおよび前記ワゴン）のすべての部品の組み立ておよび分解を、道具を使用することなく手で行うことができ、
前記ワゴンおよび前記バスケットの前記部品のすべてを、運搬する前記バナナの果房がないときに必要な体積を最小にするために分解することができ、
前記バスケットを、小売り地点で「そのまま」使用することができ、
バナナの木から最終小売り地点までのいずれの中間段階においても、処理、梱包、または他の必要性に起因して、バナナの果房のための輸送手段を変更する必要がない
ことを特徴とする一体型のバナナ果房輸送システム。
【請求項２】
前記バスケットが、逆「Ｕ字形」のハンガ（２）を有し、前記ハンガ（２）の水平部の中央に、前記バナナの果房の果軸に刺し込まれる釘（１）が取り付けられていることを特徴とする、
前記請求項に記載の一体型のバナナ輸送システム。
【請求項３】
前記バスケットの前記ベース（３）が、エンボス領域（４）を少なくとも１つ有し、前記果房の前記果軸の下部が、前記エンボス領域上に配置されて、前記果房が、前記ベース（３）上で滑動または回転し得ないようになっていることを特徴とする、
前記請求項に記載の一体型のバナナ輸送システム。
【請求項４】
前記システムのすべての部品の組み立ておよび分解を、道具を使用することなく手で行うことができることを特徴とする、
前記請求項に記載の一体型のバナナ輸送システム。
【請求項５】
前記ワゴンおよび前記バスケットの部品のすべてを、運搬する前記バナナの果房がないときに必要な体積を最小にするために分解することができることを特徴とする、
前記請求項に記載の一体型のバナナ輸送システム。
【請求項６】
前記バスケットを、小売り地点で「そのまま」使用することができることを特徴とする、
前記請求項に記載の一体型のバナナ輸送システム。
【請求項７】
前記ワゴンの縦横寸法比が、２対３であり、これにより、保管または輸送の手段の空間がいかなる形状であっても完全な利用が達成され得ることを特徴とする、
前記請求項に記載の一体型のバナナ輸送システム。
【請求項８】
前記車輪が、最終小売り地点での前記バスケットの輸送を容易にするために前記バスケットに対して調整され得ることを特徴とする、
前記請求項に記載の一体型のバナナ輸送システム。
【国際調査報告】
2016536216.tif 000006
2016536216.tif 000007